(57)【要約】【課題】  作成されるウェブページの内容やデザインの質に統一性が備わり、さらに、内容の更新等の作業に大きな負担がかからないようにしたウェブページ作成支援プログラムを提供すること。【解決手段】  この発明のウェブページ作成支援プログラムは、編集画面に入力された埋め込み情報に基づいてウェブページを生成するプログラムであって、編集画面は複数のセルで構成されるワークシート形式とし、適宜箇所に埋め込み符号が記述されたテンプレートファイルを読み込み、編集画面のセルに入力された埋め込み情報を、当該セルに対応するテンプレートファイル内の前記埋め込み符号の位置に埋め込んだ内容のウェブページを生成するようにしたものとしている。【選択図】  図１
2007041894.tif 000002
【特許請求の範囲】
【請求項１】
編集画面に入力された埋め込み情報に基づいてウェブページを生成するプログラムであって、編集画面は複数のセルで構成されるワークシート形式とし、適宜箇所に埋め込み符号が記述されたテンプレートファイルを読み込み、編集画面のセルに入力された埋め込み情報を、当該セルに対応するテンプレートファイル内の前記埋め込み符号の位置に埋め込んだ内容のウェブページを生成するようにしていることを特徴とするウェブページ作成支援プログラム。
【請求項２】
編集画面は複数のシートからなり、読み込んだテンプレートファイルから埋め込み符号を抽出し、抽出した埋め込み符号がいずれのシートのセルに対応するものであるか判別し、当該セルに入力された埋め込み情報を、当該セルに対応するテンプレートファイル内の埋め込み符号の位置に埋め込んだ内容のウェブページを生成するようにしている請求項１記載のウェブページ作成支援プログラム。
【請求項３】
編集画面は、テンプレートファイル内の埋め込み符号で指定される項目に関するセルを含む固定シートと、ユーザーが自由に設定可能な項目に関するセルを含む自動シートからなるものとしている請求項２記載のウェブページ作成支援プログラム。
【発明の詳細な説明】
【技術分野】
【０００１】
この発明は、ウェブページ（ホームページ）を容易に作成できるようにするためのウェブページ作成支援プログラムに関するものである。
【背景技術】
【０００２】
ウェブページは、ＨＴＭＬ（ＨｙｐｅｒＴｅｘｔ  Ｍａｒｋｕｐ  Ｌａｎｇｕａｇｅ）等のマークアップ言語で記述されるものであり、これにはコンテンツとなる各種の情報や、他のウェブページ、画像、音声などへのリンクが含まれている。ウェブページは、作成者が直接ＨＴＭＬで記述することにより作成されることもあるが、ＨＴＭＬによる記述は、実際にウェブブラウザで表示されるイメージとはかけ離れたものであり、また、ＨＴＭＬのタグや文法を意識しなければならず、作業効率のよいものではない。
【０００３】
そのため、ウェブブラウザで表示される実際の画面に近い構成の編集画面に、表示されるべき情報（埋め込み情報）を入力し、この入力された埋め込み情報に基づいてＨＴＭＬへの変換を行い、ウェブページを完成させるウェブページ作成支援プログラムが存在する（例えば、非特許文献１参照。）。
【０００４】
しかし、従来のこの種のプログラムは、編集画面において、表示される情報を自由に入力していくことが可能ではあるが、表示される項目の種類、数、位置等が予め定まっていないため、作成されるウェブページの内容やデザインの質は、作成者によってまちまちで、統一性がないものになりがちであり、さらに、内容の更新等の作業に大きな負担がかかっていた。
【非特許文献１】日本アイ・ビー・エム株式会社、“ＩＢＭホームページ・ビルダー 製品紹介”、［online］、［平成１７年７月１５日検索］、インターネット＜ＵＲＬ：http://www-6.ibm.com/jp/software/internet/hpb/products/2.html＞
【発明の開示】
【発明が解決しようとする課題】
【０００５】
そこで、この発明は、作成されるウェブページの内容やデザインの質に統一性が備わり、さらに、内容の更新等の作業に大きな負担がかからないようにしたウェブページ作成支援プログラムを提供することを課題とする。
【課題を解決するための手段】
【０００６】
この発明のウェブページ作成支援プログラムは、編集画面に入力された埋め込み情報に基づいてウェブページを生成するプログラムであって、編集画面は複数のセルで構成されるワークシート形式とし、適宜箇所に埋め込み符号が記述されたテンプレートファイルを読み込み、編集画面のセルに入力された埋め込み情報を、当該セルに対応するテンプレートファイル内の前記埋め込み符号の位置に埋め込んだ内容のウェブページを生成するようにしたものとしている。
【０００７】
さらに、編集画面は複数のシートからなり、読み込んだテンプレートファイルから埋め込み符号を抽出し、抽出した埋め込み符号がいずれのシートのセルに対応するものであるか判別し、当該セルに入力された埋め込み情報を、当該セルに対応するテンプレートファイル内の埋め込み符号の位置に埋め込んだ内容のウェブページを生成するようにしたものとすることができる。
【０００８】
また、編集画面は、テンプレートファイル内の埋め込み符号で指定される項目に関するセルを含む固定シートと、ユーザーが自由に設定可能な項目に関するセルを含む自動シートからなるものとすることができる。
【発明の効果】
【０００９】
この発明のウェブページ作成支援プログラムは、上述のような構成を有しており、ウェブページに掲載される項目は、編集画面のシートにおいて、セルや行単位で表示され、内容の修正、更新等の作業において、どの箇所を修正すればよいか容易に把握することができるため、ユーザーに大きな負担がかからない。
【発明を実施するための最良の形態】
【００１０】
以下、この発明の好適な実施形態を、図面を参照して説明する。
【００１１】
このウェブページ作成支援プログラムは、編集画面に入力された埋め込み情報に基づいてウェブページを生成するプログラムであって、編集画面は複数のセルで構成されるワークシート形式とし、適宜箇所に埋め込み符号が記述されたテンプレートファイルを読み込み、編集画面のセルに入力された埋め込み情報を、当該セルに対応するテンプレートファイル内の前記埋め込み符号の位置に埋め込んだ内容のウェブページを生成するようにしたもので、ウェブページの作成ないし更新に利用できるものである。
【００１２】
このプログラムは、一般に市販されているパーソナルコンピュータにおいて実行することができる。パーソナルコンピュータは、ＣＰＵ、メモリ（主記憶装置）や、ハードディスク等の補助記憶装置を内蔵し、液晶やブラウン管等の表示装置、キーボード、マウス、その他適宜の周辺機器が接続されたもので、このプログラムの実行により、当該パーソナルコンピュータはウェブページ作成支援装置ないしシステムとして動作する。
【００１３】
パーソナルコンピュータは、インターネットを介してウェブページを管理するサーバーに接続できるようにし、このプログラムによって生成されたウェブページを、当該パーソナルコンピュータから前記サーバーにアップロードすることにより、ウェブページの掲載や更新を行えるようにすることができる。
【００１４】
パーソナルコンピュータは、マイクロソフト社製の「Ｗｉｎｄｏｗｓ」（登録商標）等のオペレーティングシステムがインストールされたものとすることができる。また、このプログラムは、マイクロソフト社製の表計算ソフトウェア「ＥＸＣＥＬ」（登録商標）上で動作するマクロ言語である「Ｖｉｓｕａｌ Ｂａｓｉｃ（登録商標）ｆｏｒ  Ａｐｐｌｉｃａｔｉｏｎｓ」によって記述されたものとすることができる。
【００１５】
〔編集画面〕
このプログラムは、ＥＸＣＥＬから呼び出されることにより実行が開始される。プログラムが実行されると、パーソナルコンピュータに接続された表示装置には、図１等に示したような編集画面が表示される。編集画面は、ＥＸＣＥＬのワークシートを利用したものであり、複数行、複数列のセルで構成されている。
【００１６】
ワークシートには固定シート（図１）と自動シート（図２）の２種類のシートが含まれている。固定シートは、後述のテンプレートファイル内の埋め込み符号で指定される項目（キー項目）に関するセルを含むものとしている。自動シートは、ユーザーが自由に設定可能な項目に関するセルで構成されたものである。
【００１７】
この実施形態では、固定シートと自動シートはそれぞれ１枚ずつとしており、「固定」、「自動」という名称が付されている。各シートには、下端のタブにその名称が表示されており、このタブをマウスでクリックする等の操作により、当該シートを選択することができる。
【００１８】
なお、固定シートと自動シートは、いずれも何枚あってもよい。固定シートあるいは自動シートがそれぞれ複数枚になる場合には、各シートを識別できるように、それぞれ固有の名称を付すようにすることができる。
【００１９】
ユーザーは、各シートの項目のセルに、生成されるウェブページに埋め込まれる情報を、キーボードやマウス等の操作により入力していく。固定シートには、この固定シートに適用されるテンプレートファイルのファイル名を示す「使用テンプレート」、前回生成したウェブページのファイル名を示す「前回生成ファイル」、及び、埋め込み情報についてのキー名称（キー項目の名称）として、「社名１」、「社名２」、「社名（英語１）」、「社名（英語２）」、「郵便番号」、「住所」、「電話」、「ファックス」、「メール」の各項目が含まれている。キー項目は、適宜、追加、削除、変更することができる。
【００２０】
自動シートには、この自動シートに適用されるテンプレートファイルのファイル名を示す「使用テンプレート」、前回生成したウェブページのファイル名を示す「前回生成ファイル」、及び、埋め込み情報として、事業内容が、複数行のセルに入力されるようになっている。なお、埋め込み情報の各行の情報には、装飾情報を付加することができる。
【００２１】
この実施形態では、装飾情報は、自動シートの左端の３列で指定できるようになっており、ページ内の指定場所へのリンク（ＨＴＭＬの「＜Ａ  ＮＡＭＥ＝"マーカー名"＞」タグ）を指定する「マーク」、当該行の段下げの字数を指定する「段下げ」、当該行の埋め込み情報が新しく追加されたもの（「Ｎ」）か、更新されたもの（「Ｕ」）かを示す区分、及び更新日を指定できるものとしている。
【００２２】
また、各シートのセルに入力される文字の大きさ、色、書体等の書式設定（プロパティ）は、このプログラムの実行環境である表計算ソフトウェア（ＥＸＣＥＬ）の機能によって付加、変更することができる。前記文字の書式設定の情報は、このプログラムによって、ウェブページを生成する際に参照され、当該ウェブページに反映させることができるようになっている。
【００２３】
さらに、この実施形態では、編集画面には、画像文字シート（図３）、表シート（図４）、履歴シート（図５）が含まれるものとしている。
【００２４】
画像文字シート（図３）は、タブに「画像文字」と表示されたシートで、自動シートの埋め込み情報に使用する画像文字を登録するためのものである。画像文字は、生成されるウェブページにおいて表示される画像の代わりに、自動シートにおいて記述される文字である。この実施形態では、画像文字は自動シート（図２）の「事業内容」の各項の先頭の三角形のキャラクターであり、画像文字シート（図３）において、「画像文字」欄にこの三角形を入力し、「画像ファイル」欄にこれに対応する画像ファイル名を入力すると、生成されるウェブページ（図１４）に画像文字に変わって画像（右向きの三角形）が表示されるようになっている。
【００２５】
また、画像文字シートには、リンク先、画像のコメントが入力できるようになっており、生成されるウェブページにおいて、当該画像文字に対応する画像をクリックするとリンク先に移動するようにしたり、画像の上にマウスポインターを重ねるとコメントが表示されたりするようにできる。なお、自動シートに画像ファイルがすでに指定されている場合は、当該画像ファイルが優先されるようにすることができる。
【００２６】
表シート（図４）は、タブに「表」と表示されたシートで、生成されるウェブページに挿入される表に関するものであり、この実施形態では、当該表は損益計算書としている。ウェブページに挿入される表の内容は、表シートとは別のシート（図６）によって設定される。この実施形態では、表の内容は「損益計算書」という名称のシートによって設定されるものとしている。
【００２７】
表シートは、基本的には前述の自動シートと同様な構成であるが、埋め込み情報として、ウェブページに挿入される表の名称と、当該表の埋め込み符号が入力できるようになっている。当該表の埋め込み符号は、後述のテンプレートファイルにおける埋め込み符号と同じ形式である。
【００２８】
表を設定するシート（図６）では、ユーザーが表の大きさ（行数、列数）や項目、各項目の内容を自由に設定、入力することができる。また、セルの結合（縦横）も可能である。
【００２９】
履歴シート（図５）は、タブに「自動履歴」と表示されたシートで、自動シートから自動生成したウェブページに記述される更新履歴の参照元となるものである。この履歴シートの内容を編集することで、ウェブページの更新履歴に表示させる内容を変更することが可能となっている。
【００３０】
履歴シートには、「区分」、「更新日」、「更新内容」、「リンク先」、「表示内容」の各項目がある。「区分」は更新区分を記述するものであり、追加された情報の場合は「Ｎ」（Ｎｅｗ）、更新された情報の場合は「Ｕ」（Ｕｐ）を入力する。また、「更新日」には更新日の日付、「更新内容」には自動シートの埋め込み情報の先頭の１０文字、「リンク先」には埋め込み情報に設定されているリンク先、「表示内容」には更新履歴として自動生成される文字列を入力するようにしている。
【００３１】
履歴シートは、自動シートの区分、更新日、更新内容、リンク先に変更があると、プログラムによって、自動的に更新履歴に反映されるようすることができる。
【００３２】
なお、編集画面のシートは、ユーザーによって随時追加することができる。
【００３３】
〔テンプレートファイル〕
ユーザーは、このプログラムを実行する前に、図７〜図９のような形式のテンプレートファイルを作成しておく。テンプレートファイルは、このプログラムにより生成されるウェブページの原型となるものであり、ユーザーが新規に作成したものでも、あるいは既存のウェブページ等を編集したものでもよい。
【００３４】
この実施形態では、テンプレートファイルは、中身はＨＴＭＬ形式で作成されているが、ファイル名を「ＸＸＸ．ｔｘｔ」のようにしてテキストファイルとして扱われるものとしており、ユーザーが各種のテキストエディタで編集できるようになっている。
【００３５】
また、テンプレートファイルは、１つだけではなく、複数作成し、その中から選択して使用することができる。図７は、固定シートの埋め込み情報を反映したウェブページを生成するためのテンプレート、図８は、主に自動シート用の埋め込み情報を反映したウェブページを生成するためのテンプレート、図９は、主に表シート用の埋め込み情報を反映したウェブページを生成するためのテンプレートの例である。図７のテンプレートファイルのファイル名は、固定シート（図１）で指定された「template（連絡先用）.txt」、図８のテンプレートファイルのファイル名は、自動シート（図２）で指定された「template（トップページ用）.txt」、図９のテンプレートファイルのファイル名は、表シート（図４）で指定された「template（表用）.txt」としている。
【００３６】
テンプレートファイル内に記述される埋め込み符号は、この実施形態では「＃＃[]-[]＃＃」としており、前方の[]内には、参照するシート、すなわち埋め込まれる情報が入力されたセルを含むシートの種類を指定し、後方の[]内には、当該シートの名称とキー名称（キー項目の名称）を指定するようにしている。キー名称は、固定シート（図１）に含まれるものを指定する。
【００３７】
埋め込み符号におけるシートの指定方法は、絶対指定と相対指定がある。絶対指定の場合は、「＃＃[固定]-[（シート名）/（キー名称）]＃＃」の形式で、シート名には、参照する埋め込み情報が登録されているシート名を指定し、キー名称には、固定シートの「キー名称」列と同一名を指定する。例えば、参照するシートが固定シートで、キー名称として「社名２」を指定する場合の埋め込み符号は、「＃＃[固定]-[固定/社名２]＃＃」となる。
【００３８】
相対指定の場合は、「＃＃[固定]-[（キー名称）]＃＃」の形式で、後方の[]内の「（シート名）/」を省略したものであり、現在作業中の編集画面において表示されている（入力対象となっている）シートが処理の対象になる。
【００３９】
〔ウェブページの生成〕
編集画面のうち、固定シート（図１）、自動シート（図２）及び表シート（図４）の上部には、「ＨＴＭＬの自動作成」、「処理回数の確認」、「画面クリア」、「管理情報の表示・非表示」、「お問い合わせはこちら」の５つのボタンが配置されている。
【００４０】
ユーザーが前記各シートに必要な情報を入力した後、「ＨＴＭＬの自動作成」ボタンを押すと、図１０に示したように、プログラムはテンプレートファイルをオープンし、テンプレートファイルの読み込み処理（処理１）を繰り返す。オープンされるテンプレートファイルは、各シートの「使用テンプレート」欄において指定されたものである。
【００４１】
処理１は、図１１に示したように、テンプレートファイルを１行ずつ読み込み、当該読み込み行から埋め込み符号の有無を判定し、埋め込み符号が存在する場合には埋め込み符号の置き換え処理（処理２）を行う。
【００４２】
処理２では、まず、テンプレートファイルの読み込み行から埋め込み符号を抽出し、当該埋め込み符号の記述内容をもとにいずれのシートを参照すべきか判別し、そして、選択されたシートから当該埋め込み符号に対応するセルを検索し、当該セルに入力された埋め込み情報を、当該セルに対応するテンプレートファイル内の埋め込み符号の位置に埋め込んだ内容のデータをＨＴＭＬ形式に編集する。
【００４３】
この実施形態では、処理２は、具体的には、図１２に示したような流れで行われる。埋め込み符号が固定シート（図１）を指定したものであると判定した場合は、埋め込み符号で指定されたシートを選択し、当該シート内におけるキー項目と前記抽出した埋め込み符号内のキー項目とを比較し、一致するキー項目について当該シートから埋め込み情報を取得し、テンプレートファイルの読み込み行のキー項目を当該埋め込み情報に置き換え、そしてこれをＨＴＭＬ等の形式に編集する。
【００４４】
埋め込み符号が自動シート（図２）を指定したものであると判定した場合は、埋め込み符号で指定されたシートを選択し、当該シート内における行（セル）に入力された埋め込み情報を読み込み、さらに当該セルに入力された文字の書式設定等の装飾情報を読み取り、テンプレートファイルの読み込み行の埋め込み符号を当該埋め込み情報に置き換え、そしてこれをＨＴＭＬ等の形式に編集する。
【００４５】
なお、埋め込み符号が表シート（図４）を指定したものであると判定した場合は、前述の自動シートを指定したものであると判定した場合と同様な処理が行われる。
【００４６】
処理１において、処理２はテンプレートファイル内に埋め込み符号が見つからなくなるまで繰り返し行われ、処理２が終了すると、処理２で編集した読み込み行のデータをファイル領域に書き込む。ファイル領域は、パーソナルコンピュータに内蔵されたハードディスク等の補助記憶装置、あるいは主記憶装置等、適宜の記憶手段において作成することができ、当該ファイル領域に書き込まれるデータは、ＨＴＭＬその他適宜の形式とすることができる。
【００４７】
プログラムは、処理１が終了すると、テンプレートファイルをクローズし、テンプレートファイルとは別のファイルに、前記置き換え処理によって編集された内容のファイルを、ハードディスク等にＨＴＭＬ形式で保存することによりウェブページを生成する（図１０）。このファイルは、プログラムによってテンプレートファイルとは別に作られたものであるが、前記編集された内容を他のＨＴＭＬファイル等に書き込んだものをウェブページとしてもよい。
【００４８】
図１３、図１４に、このプログラムによって生成されたウェブページの例を示す。図１３は固定シート用のテンプレートファイル（図７）を元に生成されたものであり、図１４は自動シート用のテンプレートファイル（図８）を元に生成されたものである。
【００４９】
図１３のような固定シートの埋め込み情報を反映したウェブページは、所定のキー項目についてユーザーが固定シートに入力した埋め込み情報に基づくものであるため、ユーザーの技量や嗜好によって出来栄えが左右されることが少ない。また、キー項目に限定されない多様な内容については、図１４のような自動シート等の埋め込み情報を反映したウェブページに掲載することができる。
【００５０】
このように、このプログラムでは、固定シート、自動シート、表シート等に分けてそれぞれに対応するウェブページ、あるいはこれらのシートの内容を組み合わせたウェブページが生成できるようになっているため、作成されるウェブページの内容やデザインの質は、作成者によってまちまちにならず、統一性のあるものとすることができる。
【００５１】
さらに、ウェブページに掲載される項目は、編集画面のシートにおいて、セルや行単位で表示され、内容の修正、更新等の作業において、どの箇所を修正すればよいか容易に把握することができるため、ユーザーに大きな負担がかからない。
【００５２】
また、従来のウェブページ作成支援プログラムでは、背景等のレイアウトに関する情報部分、表示される項目（埋め込み情報）についての情報部分、及び埋め込み情報の文字の段下げや配置、書式等についての装飾部分が分離していないため、ウェブページの内容を更新する場合、レイアウトの情報部分だけ、埋め込み情報の情報部分だけ、あるいは埋め込み情報の装飾部分だけを更新することは困難であり、作業が煩わしいものとなっていた。
【００５３】
これに対し、このプログラムでは、前記各部分が分離しており、背景等のレイアウトについてはテンプレートファイルに、埋め込み情報の情報部分、及びその文字の装飾部分については編集画面の各シートにおいて、それぞれ記述することができるため、前記各部分を更新する場合は、他の部分に影響を及ぼすことなく、更新したい部分だけを更新することが容易であり、いっそう作業負担の軽いものとなっているとともに、前記埋め込み情報の情報部分（文字情報）を他の文書に利用すること等も容易になっている。
【００５４】
なお、背景等のレイアウトについては、例えば固定シートのキー項目で背景を指定することで、テンプレートファイルを変更せずに更新できるようにすることもできる。
【００５５】
従来は、ウェブページへの情報掲載や更新その他の保守作業は、すべてＨＴＭＬに関する専門知識を有するユーザーでなければ困難であったが、このプログラムを使用すれば、ＨＴＭＬに関する専門知識が必要とされない情報部分や文字入力に関する作業を分離し、この作業を専門知識がない一般ユーザーに分担してもらうことができるため、従来ウェブページを保守していた情報部門等の、ＨＴＭＬに関する専門知識のあるユーザーの作業量を軽減することが可能となる。
【００５６】
〔その他の機能〕
この実施形態のプログラムでは、固定シート、自動シート、表シートにおいて、生成されるウェブページのファイル名に連番を付すことができるようになっている。連番を付すには、各シートの「連番処理（次回）」の欄に、連番の最初の数字を入力した上で、「ＨＴＭＬの自動作成」ボタンを押す。例えば、「連番処理（次回）」の欄に「０００」を入力すると、生成されるファイル名は「ＸＸＸ０００．ｈｔｍ」となり、以降、更新されるたびに「ＸＸＸ００１．ｈｔｍ」、「ＸＸＸ００２．ｈｔｍ」・・・のように連番が付される。
【００５７】
また、編集画面において、「処理回数の確認」ボタンを押すと、利用開始から現在までのウェブページの自動生成回数を表示する。処理回数には全シート（固定シート、自動シート）での処理回数の合計値が表示されるようになっている。
【００５８】
また、「画面クリア」を押すと、入力されている埋め込み情報やキー名称を初期化することができる。自動シートに更新日が入力されている場合は履歴シートが自動で作成されているため、履歴シートを削除するかどうかの確認メッセージが表示される。
【図面の簡単な説明】
【００５９】
【図１】この発明の実施形態のウェブページ作成支援プログラムの編集画面（固定シート）の説明図である。
【図２】この発明の実施形態のウェブページ作成支援プログラムの編集画面（自動シート）の説明図である。
【図３】この発明の実施形態のウェブページ作成支援プログラムの編集画面（画像文字シート）の説明図である。
【図４】この発明の実施形態のウェブページ作成支援プログラムの編集画面（表シート）の説明図である。
【図５】この発明の実施形態のウェブページ作成支援プログラムの編集画面（履歴シート）の説明図である。
【図６】この発明の実施形態のウェブページ作成支援プログラムの編集画面（表設定シート）の説明図である。
【図７】この発明の実施形態のウェブページ作成支援プログラムで使用されるテンプレートファイル（固定シート用）の説明図である。
【図８】この発明の実施形態のウェブページ作成支援プログラムで使用されるテンプレートファイル（自動シート用）の説明図である。
【図９】この発明の実施形態のウェブページ作成支援プログラムで使用されるテンプレートファイル（表シート用）の説明図である。
【図１０】この発明の実施形態のウェブページ作成支援プログラムの全体の処理の流れを示す流れ図である。
【図１１】この発明の実施形態のウェブページ作成支援プログラムの処理１の流れを示す流れ図である。
【図１２】この発明の実施形態のウェブページ作成支援プログラムの処理２の流れを示す流れ図である。
【図１３】この発明の実施形態のウェブページ作成支援プログラムによって生成されたウェブページの例（固定シートの内容を反映したもの）の説明図である。
【図１４】この発明の実施形態のウェブページ作成支援プログラムによって生成されたウェブページの例（主に自動シートの内容を反映したもの）の説明図である。
【図１】
2007041894.tif 000003
【図２】
2007041894.tif 000004
【図３】
2007041894.tif 000005
【図４】
2007041894.tif 000006
【図５】
2007041894.tif 000007
【図６】
2007041894.tif 000008
【図７】
2007041894.tif 000009
【図８】
2007041894.tif 000010
【図９】
2007041894.tif 000011
【図１０】
2007041894.tif 000012
【図１１】
2007041894.tif 000013
【図１２】
2007041894.tif 000014
【図１３】
2007041894.tif 000015
【図１４】
2007041894.tif 000016